(57)【要約】      （修正有）【課題】複数の容器を有する容器本体と、内容物を吐出するためのノズルと、外部からの押圧を前記ノズルに伝達して該ノズルから内容物を吐出させるレバー部と、を備えた複数剤吐出容器において、容器本体、ノズル及びレバー部を組み立てて包装した際に、レバー部の誤操作を防止する。【解決手段】複数の容器を有する容器本体１０と、ノズル２０と、外部からの押圧を前記ノズルに伝達して該ノズルから内容物を吐出させるレバー部３２と、を備えた複数剤吐出容器１において、レバー部３２の操作を制限する保護キャップ１００を設けることによって、レバー部３２の誤操作を防止できる。【選択図】図１
2017137085.tif 000002
【特許請求の範囲】
【請求項１】
内容物が充填された複数の容器を有する容器本体と、前記複数の容器に装着して前記内容物を吐出するノズルと、外部からの押圧を前記ノズルに伝達して該ノズルから内容物を吐出させるレバー部と、を備えた複数剤吐出容器において、
前記レバー部の操作を制限する保護キャップを備えたこと特徴とする複数剤吐出容器。
【請求項２】
前記保護キャップは、前記容器本体の底部に装着可能に形成され、前記複数剤吐出容器の転倒防止機能を備えたことを特徴とする請求項１に記載の複数剤吐出容器。
【請求項３】
前記転倒防止機能は、前記複数剤吐出容器の自立を補助する足部又は接着部であることを特徴とする請求項２に記載の複数剤吐出容器。
【請求項４】
前記保護キャップは、前記ノズルの吐出部から内容物が垂れ落ちることを防止する垂れ落ち防止部を備えたことを特徴とする請求項１〜３のいずれかに記載の複数剤吐出容器。
【請求項５】
前記保護キャップは、前記ノズルの吐出部から垂れ落ちる内容物を受ける受け部を備えたことを特徴とする請求項１〜４のいずれかに記載の複数剤吐出容器。
【請求項６】
前記内容物は、発泡性組成物又は後発泡性組成物であることを特徴とする請求項４又は５に記載の複数剤吐出容器。
【請求項７】
前記保護キャップは、ノズル洗浄器を収納する収納部若しくはノズル洗浄器を係止する係止部を有する、又は、ノズル洗浄器と一体的に構成されていることを特徴とする請求項１〜６のいずれかに記載の複数剤吐出容器。
【請求項８】
前記保護キャップは、塗布具を収納する収納部若しくは塗布具を係止する係止部を有する、又は、塗布具と一体的に構成されていることを特徴とする請求項１〜７のいずれかに記載の複数剤吐出容器。
【発明の詳細な説明】
【技術分野】
【０００１】
本発明は、保護キャップを備えた複数剤吐出容器に関する。更に詳しくは、輸送時や、店舗での陳列作業時等における誤射を防止するための保護キャップを備え、ノズルと容器を組み立てた状態で包装することが可能な複数剤吐出容器に関する。
【背景技術】
【０００２】
第１剤と第２剤からなる酸化染毛剤等の容器として、２剤吐出容器が知られている。例えば、特許文献１、２には、レバー部を押圧することによってエアゾール容器本体内の内容物をノズルから噴射するという複数剤吐出容器が開示されている。この２剤吐出容器は、内容物を充填した２本のエアゾール容器本体と、内容物を吐出するためのノズルと、ノズルを上方から押下可能なレバー部とを備えており、これらの部品を組み立てて使用するものであり、これらの部品を組み立てると、レバー部を押下するだけで簡単に内容物が吐出される。
【０００３】
酸化染毛剤等の商品の輸送や店舗での陳列等において、省スペース化を考慮すると、２剤吐出容器の全ての部品を組み立てた状態で包装することが望ましい。しかし、複数剤吐出容器を組み立てた状態で包装すると、包装作業、商品の輸送、店舗での陳列作業等の過程において、レバー部の誤操作により容器内の内容物が吐出してしまうという恐れがある。そのため、従来の複数剤吐出容器では、エアゾール容器本体とノズルを分離して包装していた。
【先行技術文献】
【特許文献】
【０００４】
【特許文献１】特開平１１−０５９７４６号公報
【特許文献２】特開２０１１−１１６３８０号公報
【発明の概要】
【発明が解決しようとする課題】
【０００５】
本発明の課題は、複数の容器を有する容器本体と、内容物を吐出するためのノズルと、外部からの押圧を前記ノズルに伝達して該ノズルから内容物を吐出させるレバー部と、を備えた複数剤吐出容器において、容器本体、ノズル及びレバー部を組み立てて包装した際に、レバー部の誤操作を防止することである。
【課題を解決するための手段】
【０００６】
発明者は、前記課題に対して鋭意検討した結果、複数の容器を有する容器本体と、内容物を吐出するためのノズルと、外部からの押圧を前記ノズルに伝達して該ノズルから内容物を吐出させるレバー部と、を備えた複数剤吐出容器において、レバー部の操作を制限する保護キャップを設けることによって、レバー部の誤操作を防止できることを見出して、本発明を完成した。
すなわち、本発明は、以下の複数剤吐出容器である。
【０００７】
上記課題を解決するための本発明の複数剤吐出容器は、内容物が充填された複数の容器を有する容器本体と、前記複数の容器に装着して前記内容物を吐出するノズルと、外部からの押圧を前記ノズルに伝達して該ノズルから内容物を吐出させるレバー部と、を備えた複数剤吐出容器において、前記レバー部の操作を制限する保護キャップを備えたこと特徴とする複数剤吐出容器である。
【０００８】
この複数剤吐出容器によれば、外部からの押圧によるレバー部の誤操作を防ぐことができるため、複数剤吐出容器の部品を全て一体化して包装することが可能となる。そのため、商品の省スペース化が実現され、輸送コストや、店舗での陳列等において優れた効果を奏する。
【０００９】
その他、この複数剤吐出容器によれば、輸送や陳列等において、各部品を一体化した状態で取扱うことができるため、複数剤吐出容器の各部品をまとめるための個箱等の個包装容器を使用せずに商品化することが可能となる。
また、この複数剤吐出容器によれば、使用者が使用する際に、各部品を組み立てる必要がなく、すぐに使用が開始できるという効果も認められる。
【００１０】
更に、本発明の複数剤吐出容器の一実施態様としては、保護キャップが、容器本体の底部に装着可能に形成され、複数剤吐出容器の転倒防止機能を備えたことを特徴とする。
この特徴によれば、輸送時などの外部からの押圧による誤射を防ぐ効果のみならず、複数剤吐出容器の転倒を防ぐことができる。
【００１１】
更に、本発明の複数剤吐出容器の一実施態様としては、転倒防止機能が、複数剤吐出容器の自立を補助する足部又は接着面であるという特徴を有する。
転倒防止機能として、足部を備えた構成を適用する場合には、簡素な構造物によって複数剤吐出容器の自立を補助することができる。
また、転倒防止機能として、接着面を備えた構成を適用する場合には、壁面や傾斜面等においても複数剤吐出容器の自立を補助することができる。
【００１２】
更に、本発明の複数剤吐出容器の一実施態様としては、保護キャップに、ノズルの吐出部から内容物が垂れ落ちることを防止する垂れ落ち防止部を備えたことを特徴とする。
この特徴によれば、保護キャップをレバー部の誤操作防止のために使用する場合において、ノズル吐出部からの内容物の垂れ落ちを抑え、床面等の汚染を防止することができる。
【００１３】
更に、本発明の複数剤吐出容器の一実施態様としては、保護キャップに、ノズルの吐出部から垂れ落ちる内容物を受ける受け部を備えたことを特徴とする。
この特徴によれば、保護キャップを転倒防止のために使用する場合において、ノズル吐出部から垂れ落ちた内容物を受け部に受けることにより、床面等の汚染を防止することができる。
【００１４】
更に、本発明の複数剤吐出容器の一実施態様としては、内容物が発泡性組成物又は後発泡性組成物であるという特徴を有する。
発泡性組成物は、使用後に放置すると、ノズル内部に残った泡が破泡して液体となるため、ノズルの吐出部から垂れ落ちやすい。また、後発泡性組成物は、ノズルの内部に残った内容物が徐々に発泡して膨らむため、ノズルの吐出部から垂れ落ちやすい。そのため、この特徴によれば、前記垂れ落ち防止部又は前記受け部の作用効果をより発揮することができる。
【００１５】
更に、本発明の複数剤吐出容器の一実施態様としては、保護キャップが、ノズル洗浄器を収納する収納部若しくはノズル洗浄器を係止する係止部を有する、又は、ノズル洗浄器と一体的に構成されていることを特徴とする。
この特徴によれば、複数剤吐出容器の備品としてノズル洗浄器を付属する場合において、ノズル洗浄器が保護キャップに収納若しくは係止、又は、一体的に構成されているため、各部品がまとめられた簡素な商品となり、省スペース化を実現することができる。また、ノズル洗浄器を保護キャップとまとめて保管することにより、ノズル洗浄器の紛失を防止することができる。
【００１６】
更に、本発明の複数剤吐出容器の一実施態様としては、保護キャップが、塗布具を収納する収納部若しくは塗布具を係止する係止部を有する、又は、塗布具と一体的に構成されていることを特徴とする。
この特徴によれば、複数剤吐出容器の備品として塗布具を付属する場合において、塗布具が保護キャップに収納若しくは係止、又は、一体的に構成されているため、各部品がまとめられた簡素な商品となり、省スペース化を実現することができる。また、塗布具を保護キャップとまとめて保管することにより、塗布具の紛失を防止することができる。
【発明の効果】
【００１７】
本発明によれば、複数の容器を有する容器本体と、内容物を吐出するためのノズル及びレバー部を備えた複数剤吐出容器において、容器本体と、ノズル及びレバー部を組み立てて包装した際に、レバー部の誤操作を防止することができる。
【００１８】
その他、本発明の複数剤吐出容器によれば、輸送や陳列等において、各部品を一体化した状態で取扱うことができるため、複数剤吐出容器の各部品をまとめるための個箱等の個包装容器を使用せずに商品化することが可能となる。
また、本発明の複数剤吐出容器によれば、使用者が使用する際に、各部品を組み立てる必要がなく、すぐに使用が開始できるという効果も認められる。
【図面の簡単な説明】
【００１９】
【図１】本発明の第一実施例の２剤吐出容器１を示す概略説明図である。
【図２ａ】本発明の第一実施例の２剤吐出容器１の容器本体１０を示す分解斜視図である。
【図２ｂ】本発明の第一実施例の２剤吐出容器１のノズル２０及びカバー３０を示す分解斜視図である。
【図２ｃ】本発明の２剤吐出容器のカバー及びレバー部の他の態様を示す概略説明図である。
【図３】本発明の第一実施例の２剤吐出容器１において、保護キャップ１００を容器本体１０の底部に装着する態様を示す概略説明図である。
【図４】本発明の保護キャップの足部の具体的構成の例を示す概略説明図である。
【図５】本発明の保護キャップの接着面の具体的構成の例を示す概略説明図である。
【図６】本発明の保護キャップの垂れ落ち防止部の具体的構成の一例を示す概略説明図である。
【図７】本発明の保護キャップの受け部の具体的構成の一例を示す概略説明図である。
【図８】本発明の保護キャップの収納部の具体的構成の一例を示す概略説明図である。
【図９】本発明の保護キャップの係止部の具体的構成の例を示す概略説明図である。
【発明を実施するための形態】
【００２０】
本発明は、内容物が充填された複数の容器を有する容器本体と、前記複数の容器に装着して前記内容物を吐出するノズルと、外部からの押圧を前記ノズルに伝達して該ノズルから内容物を吐出させるレバー部と、を備えた複数剤吐出容器において、前記レバー部の操作を制限する保護キャップを備えたこと特徴とする複数剤吐出容器である。
以下に、本発明の複数剤吐出容器の各構成について、図面を用いて詳細に説明する。
【００２１】
［複数剤吐出容器の構成］
図１は、本発明の第一実施例の２剤吐出容器１を示す概略説明図である。
図１に示すように、本発明の実施例の２剤吐出容器１は、複数の剤がそれぞれ別個に充填された複数の容器からなる容器本体１０と、複数の容器に装着され、複数の容器の内容物を吐出するノズル２０と、容器本体１０の上部に係合し、ノズル２０を押下するレバー部３２を備えたカバー３０と、カバー３０のレバー部３２を覆い、レバー部３２の操作を制限する保護キャップ１００により構成される。
【００２２】
（容器本体）
図２ａは、本発明の第一実施例の２剤吐出容器１の容器本体１０を示す分解斜視図である。
図２ａに示すように、容器本体１０は、第１剤を充填する第１エアゾール容器（以下、第１容器と記す）１１と、第２剤を充填する第２エアゾール容器（以下、第２容器と記す）１２と、を備えている。更に、第１容器１１及び第２容器１２は、容器の上部を塞ぐためのマウンテインカップ１４ａ及び１４ｂと、該容器内の内容物を放出させるための円筒状の管であるステム１５ａ及び１５ｂと、とを備えている。
また、マウンテインカップ１４ａ及び１４ｂは連結部１３により係止され、第１容器及び第２容器のステム１５ａ、１５ｂの先端が略同じ高さになるように固定されている。
【００２３】
なお、容器本体は、２以上の容器により構成すればよく、使用の態様に応じて３以上の容器としてもよい。また、１つの容器の内部に仕切り壁を設けて、複数の室を形成した構成としてもよい。
【００２４】
容器から内容物を放出する手段は、ノズルに外部からの押圧が与えられることにより内容物が放出される手段であればどのような手段でもよく、例えば、噴射剤を利用して内容物を放出するエアゾール容器や、ポンプを利用して内容物を放出するノンエアゾール容器等が挙げられる。複数の剤の放出量を調整できるという観点から、エアゾール容器を使用することが好ましい。
【００２５】
エアゾール容器から内容物を放出する手段としては、噴射剤と内容物を混合して噴射剤と共に内容物を放出する手段や、容器本体の内部に内容物を封入した内袋を設け、容器本体と内袋との間の空間に充填した噴射剤により内容物を放出する手段等が挙げられる。
クリーム状、ジェル状、ペースト状等の剤型とする場合には、後者の放出手段を利用することが好ましい。
【００２６】
エアゾール容器に使用する容器本体の材質としては、特に制限されず、内容物の耐性に応じて選択すればよい。例えば、アルミニウム、ブリキ、ステンレス等の金属材料、ポリエチレンテレフタレート（ＰＥＴ）、ポリプロピレン（ＰＰ）、ポリエチレン（ＰＥ）等の合成樹脂材料等が挙げられる。
【００２７】
さらに、エアゾール容器の内面をコート剤で被覆することが好ましい。コート剤としては、例えば、エポキシフェノール樹脂、エポキシユリア樹脂、エポキシアミノ樹脂、エポキシアミン樹脂、アミドイミド系樹脂等が挙げられる。また、コート剤を、多層被覆してもよい。 
【００２８】
なお、内容物の残量を目視できるという観点では、ＰＥＴ等の透明な材質を使用することが好ましい。また、汎用性に優れるという観点では、アルミニウムを使用することが好ましい。耐薬品性の観点では、ステンレス製、ＰＥＴ等によりラミネート加工したアルミニウム、ブリキを使用することが好ましい。 
【００２９】
また、内容物を封入するための内袋としては、変形可能な材質であればよく、例えば高密度ポリエチレン（ＨＤＰＥ）、低密度ポリエチレン（ＬＤＰＥ）、直鎖状低密度ポリエチレン（ＬＬＤＰＥ）等のポリエチレン（ＰＥ）、エチレン・酢酸ビニル共重合体けん化物（ＥＶＯＨ）、ポリアクリルニトリル、ポリエチレンテレフタレート（ＰＥＴ）、ポリプロピレン、ビニール、ナイロン等の単層の合成樹脂製、およびこれらの積層体等が挙げられる。その他、内面をエポキシフェノール樹脂、エポキシユリア樹脂、エポキシアミノ樹脂あるいはエポキシアミン樹脂でコートしたアルミニウム製を用いてもよい。ＰＥ／ＥＶＯＨ／ＰＥ等の積層体、ＨＤＰＥおよび内面コートアルミニウムを用いると、噴射剤の透過および内容物の変質を防ぐ点から好ましい。またその厚さは０．１〜１．０ｍｍが内容物の保持性および収縮性の点から好ましい。 
【００３０】
内容物は、特に制限されないが、発泡性組成物又は後発泡性組成物であることが好ましい。発泡性組成物とは、液化石油ガス（ＬＰＧ）やジメチルエーテル（ＤＭＥ）等の発泡剤を含む組成物であり、内容物をエアゾール容器から吐出した際に、発泡して吐出するものである。発泡性組成物は、内容物の吐出後に放置すると、ノズルに残存した泡状の内容物が破泡して液化するため、ノズルの吐出部から垂れ落ちることがある。
後発泡性組成物とは、イソペンタン等の後発泡剤を含む組成物であり、内容物がエアゾール容器からクリーム状やジェル状の組成物として吐出された後、せん断力を加えたり、大気圧下に置かれたりすると、後発泡剤が気化して徐々に泡状となる組成物である。後発泡性組成物は、吐出後に徐々に膨張するため、ノズルに残存した内容物がノズルの吐出部から溢れて垂れ落ちることがある。
そのため、内容物として発泡性組成物又は後発泡性組成物を使用する場合には、内容物の垂れ落ちを防止する垂れ落ち防止部や、垂れ落ちた内容物を受ける受け部を備えた保護キャップにおいて、それらの構成の作用効果がより発揮される。
【００３１】
なお、後発泡剤はエアゾール容器等の高圧環境下から毛髪化粧料の使用環境下（通常、常温、大気圧下）に吐出されると後発泡性組成物を発泡させるような成分であり、例えば、プロパン、ｎ−ブタン、イソブタン、ｎ−ペンタン、イソペンタン、ヘキサン等の脂肪族炭化水素、トリクロロトリフルオロエタン、ジクロロテトラフルオロエタン等のハロゲン化炭化水素、ジメチルエーテル等が挙げられる。後発泡剤の配合量は、通常、後発泡性組成物に対して０．５〜２０質量％である。
【００３２】
また、容器から放出された内容物の剤型としては、特に制限されず、例えば、液状、乳液状、泡状、クリーム状、ジェル状、ペースト状等が挙げられる。後発泡性組成物とする場合には、クリーム状、ジェル状、ペースト状であることが好ましい。
【００３３】
更に、後発泡性組成物の１５℃における粘度は、好適な発泡状態を得るという観点から、５０００〜５００００ｍＰａ・ｓであることが好ましく、１００００〜４００００ｍＰａ・ｓであることが更に好ましく、１５０００〜３００００ｍＰａ・ｓであることが特に好ましい。
本発明における粘度測定にはVISCOMETER  TV-10粘度計（東機産業株式会社製）を使用する。粘度５００ｍＰａ・ｓ未満の場合は、１５℃、１分間、回転速度：１２ｒｐｍ、１号ローター使用の条件下で測定し、粘度５００ｍＰａ・ｓ以上２５００ｍＰａ・ｓ未満の場合は、１５℃、１分間、回転速度：１２ｒｐｍ、２号ローター使用の条件下で測定し、粘度２５００ｍＰａ・ｓ以上１００００ｍＰａ・ｓ未満の場合は、１５℃、１分間、回転速度：１２ｒｐｍ、３号ローター使用の条件下で測定し、粘度１００００ｍＰａ・ｓ以上５００００ｍＰａ・ｓ未満の場合は、１５℃、１分間、回転速度：１２ｒｐｍ、４号ローター使用の条件下で測定し、粘度５００００ｍＰａ・ｓ〜１０００００ｍＰａ・ｓの場合は、１５℃、１分間、回転速度：６ｒｐｍ、４号ローター使用の条件下で測定する。
なお、１５℃における粘度の測定は、エアゾール容器を１５℃環境下に置き、内容物を１５℃とした後、各剤をエアゾール容器から吐出してすぐに粘度を測定する。
【００３４】
内容物としては、酸化染毛剤の第１剤及び第２剤が、本発明の複数剤吐出容器に好適に使用することができる。
例えば、本実施例で用いられている第１剤は、ｐ−トルイレンジアミン、ｐ−フェニレンジアミン、ｐ−メチルアミノフェノール、４−ニトロ−ｏ−フェニレンジアミン、１−アミノ−４−メチルアントラキノン、ポリオキシエチレン（９）ラウリルエーテル、ポリオキシエチレン（１５）ノニルフェニルエーテル、セチル硫酸ナトリウム、臭化セチルトリメチルアンモニウム、セチルアルコール、ワセリン、ステアリン酸、プロピレングリコール、ヒドロキシエチルセルロースヒドロキシプロピルトリメチルアンモニウムクロリドエーテル、エデト酸二ナトリウム、アスコルビン酸、２８％アンモニア水およびモノエタノールアミン、精製水を成分としており、これらを調製したものである。また、第１容器１１で用いられている噴射剤の成分は、窒素ガスである。 
【００３５】
また、本実施例で用いられている第２剤は、過酸化水素水、フェナセチン、１−ヒドロキシエタン−１，１−ジホスホン酸、１−ヒドロキシエタン−１，１−ジホスホン酸四ナトリウム、セタノール、ジメチルポリシロキサン、ポリオキシエチレンアルキルエーテル、グリセリン、香料、精製水を成分としており、これらを調製したものである。また、第２容器１２で用いられている噴射剤の成分は、窒素ガスである。 
【００３６】
噴射剤としては、例えば、窒素ガス、液化石油ガス、圧縮ガス等が使用されるが、内容物に悪影響を及ぼさない点から窒素ガスが好ましい。 
【００３７】
（ノズル）
本発明のノズルは、レバー部を介して与えられた外部からの押圧により、容器本体の内容物を放出させる作用を有する構成である。実施例の２剤吐出容器１では、エアゾール容器によるノズルの構成を詳細に示すが、これに限定されず、内容物の放出手段に応じて適宜形状を設計すればよい。
例えば、レバー部を介して与えられた外部からの押圧を変換機構により引力に変換して、引く操作により内容物が放出されるようなノズルを使用してもよい。
【００３８】
図２ｂは、本発明の第一実施例の２剤吐出容器１のノズル２０及びカバー３０を示す分解斜視図である。図２ｂに示すように、ノズル２０は、略箱状に形成された基部２１と、この基部２１の下面に設けられ、容器本体１０のステム１５ａ及び１５ｂと水密に係合することができる一対の導入部２３ａ及び２３ｂと、基部２１の前方側面に突設され、第１容器１１及び第２容器１２から排出された内容物を外部に吐出するための吐出部２４とを備える。また、基部２１の下面には、基部２１の内部とステム１５ａ及び１５ｂの内部とを連通する貫通口２２ａ及び２２ｂが形成されている。基部２１の上面は、ステム１５ａ及び１５ｂの押下方向に対して垂直な平面状に形成されている。
【００３９】
このノズル２０の基部２１及び吐出部２４の内部には、ステム１５ａ及び１５ｂの中央に位置するように仕切板２５が設けられており、２つの流路が形成されている。そのため、このノズル２０は、第１容器１１及び第２容器１２それぞれから排出される内容物を導入部２３ａ、２３ｂから吐出部２４の先端まで隔離して送り出すことができる。
【００４０】
なお、本発明のノズルは、導入部及び吐出部を有する構成であれば、特に制限されない。例えば、仕切り板を設けずにノズルの内部で複数の剤が接触してもよいし、更には、内部に撹拌部材を設けて複数の剤を内部で撹拌してもよい。
【００４１】
また、導入部及び吐出部の数は特に制限されないが、導入部については、複数の剤の種類に応じて複数設けることが望ましく、一方、吐出部については一つのみであることが好ましい。
【００４２】
（カバー）
図１ｂに示すカバー３０は、ノズル２０と容器本体１０を組み付けるものであり、ノズル２０の導入部２３ａ及び２３ｂと、容器本体１０のステム１５ａ及び１５ｂを容易に係合させることができる。
【００４３】
カバー３０は、前述の導入部挿通口３４ａ及び３４ｂが形成された上板３１と、カバー３０の前方に設けられたヒンジ３６を介して形成された平板状のレバー部３２と、ノズル２０をカバー３０に組み付けた際に、ノズル２０の吐出部２４を露出させるための吐出部挿通口３５と、を備えている。また、レバー部３２には、その裏面にほぼ円錐形の突起３３が二つ形成されている。突起３３により、レバー部３２が押下された際に、レバー部３２に掛かる押圧をノズル２０に効率よく伝えることができる。
【００４４】
カバー３０とノズル２０を着脱するには、レバー部３２をカバー３０の前方に倒すことにより、ノズル２０を簡易的に着脱することができる。
なお、本発明において、カバーは必須の構成ではなく、ノズルを直接本体容器と係合するような構成としてもよい。また、カバー３０とノズル２０を着脱できないように固定してもよい。
【００４５】
（レバー部）
本発明のレバー部は、外部からの押圧をノズルに与える作用を有する部材あるいは作用部であり、第一実施例のように、部材としてレバー部３２を設けてもよいし、その他、外部からの押圧をノズルに直接与える作用部として、ノズル２０の基部２１の上面をレバー部としてもよい。
【００４６】
外部からの押圧は、どのような方向から与えられてもよく、実施例のように垂直方向に与えられる押圧の他、横方向や斜め方向から与えられる押圧でもよい。
【００４７】
図１ｃには、カバーとレバー部の他の態様として、カバー下部３０ａ及びレバー部３２ａを有するカバー上部３０ｂを備えたカバーを図示した。
カバー下部３０ａは、ノズル２０ａを収容できる筒体からなり、筒体の内側には、第１容器および第２容器の配列方向に沿ってノズル係止帯体３１ａが設けられ、ノズル２０ａの押下方向への移動を制限する。また、ノズル２０ａの押下方向に沿ってノズル摺動片３１ｂが設けられており、ノズル２０ａは、配列方向への移動が制限され、押下方向への上下摺動が可能となる。なお、ノズル摺動片３１ｂと、ノズル摺動片３１ｂに係止するノズル２０ａの背面突部（図示しない）の間には間隙が形成されており、配列方向へのノズル２０ａの移動はわずかに許容される。
【００４８】
カバー上部３０ｂは、筒体の後方側が一部欠損した略Ｃ字状の部材により構成され、前方側の内側面には、配列方向に沿って長尺のヒンジ３６ａが設置され、該ヒンジ３６ａには、レバー部３２ａが押下方向に揺動可能に取り付けられている。また、レバー部３２ａには、レバー部３２ａを操作するためのレバー突起３２ｂが設けられ、レバー突起３２ｂは、カバー上部３０ｂの後方側の欠損領域から突出している。
【００４９】
カバー下部３０ａ及びカバー上部３０ｂは、内部にノズル２０ａを収容した状態で、カバー下部３０ａの内面に形成された固定孔３８ａ、３８ｂと、カバー上部３０ｂの外面に形成された固定片３７ａ、３７ｂを係合することにより固定される。
【００５０】
カバー下部３０ａ及びカバー上部３０ｂの前方には、それぞれ吐出部挿通切り欠き部３５ｂ及び３５ａを備えており、カバー下部３０ａとカバー上部３０ｂが固定されると、ノズル２０ａの吐出部２４ａを挿通するための吐出部挿通口を形成する。
また、カバー下部３０ａの後方には、レバー揺動切り欠き部３２ｃが形成されており、レバー突起３２ｂを押下方向に揺動可能としている。
【００５１】
なお、ノズル２０ａは、上述したカバー３０に使用したノズル２０と同様に、基部２１の下面に導入部２３ｃ、２３ｄを備え、前方に吐出部２４ａを備えた構成である。
基部２１及び吐出部２４ａの中央に設置された仕切り板２５ａは、吐出部２４ａの途中まで設置されており、吐出部２４ａの先端において、第１剤と第２剤の接触領域が形成されている。接触領域を設けることにより、第１剤と第２剤が一筋となって吐出されるため、所定の位置に吐出しやすく、また、混合しやすいという効果がある。
【００５２】
そして、図１ｃに示すカバーによれば、レバー突起３２ｂを押下方向に揺動すると、長尺のヒンジ３６ａに均等に押圧が作用するため、ノズル２０ａを配列方向に均等に押し下げることができる。
【００５３】
また、レバー部３２ａの裏面には、略円弧状に形成された２つの突起３３ａが設けられ、ノズル２０ａの奥行方向に均等に押圧を作用することができる。なお、突起３３ａの形状は、半球状、球状、楕円球状等の湾曲部を有する形状でもよい。
【００５４】
図１ｃに示すカバーのその他の構成としては、カバー下部３０ａの外側両側面にカバー係止孔３９ａを有する揺動片３９を備えており、カバー係止孔３９ａと本体容器部１０側に設けたカバー係止突部（図示しない）を係合して本体容器部１０とカバーを係止する。この構成によれば、揺動片３９を操作することにより、本体容器１０とカバーを簡単に脱着することができる。
【００５５】
（保護キャップ）
本発明の保護キャップは、レバー部の操作を制限するための構成である。レバー部の操作を制限するための具体的構成は、特に制限されず、例えば、第一実施例のように、高硬度のプラスチックで形成された蓋状部材を、レバー部を覆うように着脱可能に取り付ける構成の他、レバー部を下から支持する支持部を、レバー部の下方に着脱可能に取り付ける構成や、弱い押圧では変形しない難変形性のゴム状部材で構成されたレバー部を備えた構成等が挙げられる。
【００５６】
保護キャップの形状は、レバー部の操作を制限可能であれば特に制限されないが、好ましい形状は、楕円形である。楕円形の場合には、楕円形の長辺Ａは４０〜８０ｍｍが好ましく、５０〜７０ｍｍが更に好ましい。楕円形の短辺ａは１０〜５０ｍｍが好ましく、２０〜４０ｍｍが更に好ましい。
また、深さは、カバーからの取り外しやすさから２〜５０ｍｍが好ましく、５〜３０ｍｍが更に好ましい。
【００５７】
図１に示す第一実施例の保護キャップ１００は、カバー３０を上方から覆う蓋状の構成であって、カバー３０に着脱可能に取り付けられている。
保護キャップ１００は、２剤吐出容器１に装着した際に外部からの押圧によって変形しない強度を有するプラスチックにより構成されている。
【００５８】
なお、外部からの押圧によって容易に変形しない強度を有する材質としては、例えば、ポリエチレンテレフタラート、ポリエチレン、ポリプロピレン等の合成樹脂材料、アルミニウム、ブリキ、ステンレス等の金属材料等が挙げられる。
【００５９】
また、本発明の保護キャップは、上述したレバー部の操作を制限する機能に加えて、容器本体の底部に装着して容器本体の転倒を防止する機能や、ノズルの吐出部から内容物が垂れ落ちることを防止する機能や、ノズルの吐出部から垂れ落ちる内容物を受ける機能や、ノズル洗浄器、塗布具等の他の備品を収納、係止する機能等を付加することが好ましい。
以下に、これらの付加機能について説明する。
【００６０】
<転倒防止機能>
図３には、本発明の第一実施例の２剤吐出容器１において、保護キャップ１００を容器本体１０の底部に装着する態様を示す。保護キャップ１００は、カバー３０の上部のみならず、容器本体１０の底部にも装着可能に形成されており、また、保護キャップ１００の上面は、フラットな平面状に形成されている。これにより、保護キャップ１００は、容器本体１０の底部に装着する際には、容器本体１０の自立を安定化して、容器本体１０の転倒を防止することができる。
【００６１】
複数剤吐出容器の転倒を防止する転倒防止機能の構成としては、容器本体の自立を安定化する作用を有すれば特に制限されないが、例えば、第一実施例の保護キャップ１００のようにフラットな平面を備えた構成の他、複数剤吐出容器の自立を補助する足部や、接着部を設けた構成が挙げられる。
【００６２】
図４に、転倒防止機能として、本発明の保護キャップに設けた足部の具体的構成の例を示す。
図４の左図に示す保護キャップ１０１は、その蓋体上面に容器本体１０の底部より広い面積を持つ足部１１０を備えた構成である。
また、図４の右図に示す保護キャップ１０２は、円筒状の保護キャップであり、円筒状保護キャップの外周面の一部に突設した足部１１１を備えた構成である。
これにより、保護キャップを本体容器１０の底部に装着した際に、複数剤吐出容器の自立をより安定させることが可能となる。
【００６３】
図５に、転倒防止機能として、本発明の保護キャップに設けた接着面の具体的構成の例を示す。
図５に示す保護キャップ１０３、１０４は、保護キャップの上面及び側面に接着面１２０を備えた構成である。上面に接着面１２０を設けた場合には、テーブル等の水平面や、傾斜面に付着して複数剤吐出容器の転倒を防止することができる。また、側面に接着面１２０を設けた場合には、壁面等に付着して複数剤吐出容器の転倒を防止することができる。
【００６４】
接着面１２０としては、例えば、滑り止めシート、磁石、吸盤、粘着シール、面ファスナー等の接着部材を設けることにより構成される。
図５の左図に示す保護キャップ１０３は、接着部材として、粘着シール１２１ａを備えた構成である。粘着シール１２１ａは、埃等が付着して粘着力が低下しないように、粘着シールの保護材により保護されており、接着面として作用させる際に、保護材を剥がして使用する。この接着部材によれば、簡単に接着させることができる。
【００６５】
図５の右図に示す保護キャップ１０４は、接着部材として、磁石１２２を備えた構成である。磁石１２２を利用することにより、金属等の磁性物質に対して簡単に接着及び剥離することができる。
【００６６】
<垂れ落ち防止部>
図６には、本発明の保護キャップの垂れ落ち防止部の具体的構成の例を示す。垂れ落ち防止部は、複数剤吐出容器を使用後に、ノズルの内部に残存する内容物がノズルの吐出部２４から垂れ落ちることを防止するための構成である。なお、図６の左図に示すように、垂れ落ち防止部は、保護キャップをレバー部３２の操作を制限するように装着する際に、その作用を発揮するものである。
垂れ落ち防止部を設けることにより、ノズルの内部に残存する内容物が垂れ落ちて、床等を汚染することを防止することができる。
【００６７】
垂れ落ちを防止する手段としては、どのような手段でもよいが、例えば、ノズルの吐出部２４を覆うように構成された垂れ落ち防止部を設け、この内面にノズルの吐出部２４から溢れ出た内容物が付着して表面張力で垂れ落ちを抑制する手段や、ノズルの吐出部２４の下方に、内容物を溜めるための溜め部を設け、垂れ落ちた内容物を溜めることにより床面等への垂れ落ちを防止する手段等が挙げられる。
【００６８】
図６の左図に示す保護キャップ１０５は、ノズルの吐出部２４を覆うように構成された垂れ落ち防止部１３０を備えた構成である。図６（Ａ）は、この保護キャップ１０５の側面図であり、図６（Ａ）に示すように、垂れ落ち防止部１３０の内面は、ノズルの吐出部２４と近接するように設置されており、ノズルの吐出部２４から溢れ出た内容物は、垂れ落ち防止部１３０の内面に付着して、表面張力により垂れ落ちが抑制される。
【００６９】
図６（Ｂ）に示す保護キャップ１０５ａは、垂れ落ちを防止する手段として、溜め部１３２を有する垂れ落ち防止部１３１を備えた構成である。溜め部１３２は、ノズルの吐出部２４から垂れ落ちた内容物を溜めることが可能な小容量の凹部により構成される。これにより、確実に垂れ落ちを防止することができる。
【００７０】
<受け部>
図７には、本発明の保護キャップの受け部の具体的構成の一例を示す。受け部は、ノズルの内部に残存する内容物がノズルの吐出部２４から垂れ落ちた際に、垂れ落ちた内容物を受けるための構成である。なお、図７の左図に示すように、受け部１３１は、保護キャップ１０６を容器本体１０の底面に装着した際に、その作用を発揮するものである。
【００７１】
図７に示す保護キャップ１０６は、ノズルの吐出部２４から垂れ落ちた内容物を受けるための受け部１３１を備えた構成であり、受け部１３１は、垂れ落ちた内容物を受けることが可能な凹部である。また、受け部１３１は、保護キャップ１０６を容器本体１０の底部に装着した際に、ノズルの吐出部２４の垂直下方向に設置されるように形成されている。これにより、ノズルの内部に残存する内容物が垂れ落ちた場合でも、垂れ落ちた内容物は受け部１３１内に収容され、床等の汚染を防止することができる。
【００７２】
<他の備品の収納及び係止する機能、並びに、他の備品との一体化>
本発明の保護キャップは、ノズル洗浄器や、櫛、ブラシ等の塗布具等の備品を収納、係止する機能を設けることが好ましい。また、これらの備品と一体化して構成することが好ましい。これにより、各部品がまとめられた簡素な商品となり、より省スペース化を実現することができる。また、ノズル洗浄器や塗布具を保護キャップとまとめて保管することにより、これらの備品の紛失を防止することができる。
【００７３】
図８に示す保護キャップ１０７は、ノズル２００を収納するための収納部１４０を備えた構成である。
また、図９に示す保護キャップ１０８、１０９は、保護キャップ１０７の外側に塗布具３００が係止可能な係止部１４１、１４２を備えた構成である。係止部は、塗布具３００の一部を保護キャップの蓋体外側に係止可能な構成であればよく、例えば、係止部１４１のように塗布部３００の一部を嵌め込む構成や、係止部１４２のように塗布部３００を掛けることができる構成等が挙げられる。
【００７４】
<パッチテスト用の小皿としての機能>
本発明の保護キャップは、パッチテスト用の小皿としての機能を設けることが好ましい。パッチテストは、酸化染毛剤、脱色剤、脱染剤等の皮膚アレルギー試験であり、複数の剤を小皿に少量ずつ吐出し、綿棒等で混合後、少量を皮膚に塗布して、発疹、発赤、かゆみ、水疱、刺激等がないか確認する。
そして、本発明の保護キャップにパッチテスト用の小皿としての機能を設けることにより、パッチテストに使用する小皿を用意する必要がないという効果を奏する。
【００７５】
パッチテスト用の小皿としての機能を付加するには、保護キャップの材質として、ポリエチレンテレフタラート、ポリエチレン、ポリプロピレン等の合成樹脂材料を用いることが好ましい。
【産業上の利用可能性】
【００７６】
本発明の複数剤吐出容器は、外部からの押圧によってレバー部の誤操作による誤射を防止することが可能な複数剤吐出容器であり、容器本体と、ノズル及びレバー部を一体として包装する際に利用することができる。また、輸送、陳列等において、これらの部品を組み立てた状態で取り扱うことができるため、各複数剤吐出容器を包装するための小箱等の個包装容器を使用せずに商品化する際に利用することができる。
【００７７】
本発明の複数剤吐出容器は、実施例で示した酸化染毛剤の分野に限らず、脱色剤、脱染剤、育毛剤、整髪料、洗浄剤、化粧剤、美容剤、消臭剤、殺虫剤等の複数剤吐出容器を用いる他の分野においても利用可能である。
【符号の説明】
【００７８】
１…２剤吐出容器、１０…容器本体、１１…第１容器、１２…第２容器、１３…連結部、１４ａ，１４ｂ…マウンテインカップ、１５ａ，１５ｂ…ステム、２０，２０ａ…ノズル、２１…ノズル基部、２２ａ，２２ｂ…貫通口、２３ａ，２３ｂ，２３ｃ，２３ｄ…導入部、２４，２４ａ…吐出部、２５，２５ａ…仕切板、３０…カバー、３０ａ…カバー下部、３０ｂ…カバー上部、３１…上板、３１ａ…ノズル係止帯体、３１ｂ…ノズル摺動片、３２，３２ａ…レバー部、３２ｂ…レバー突起、３２ｃ…レバー揺動切り欠き部、３３，３３ａ…突起、３４ａ，３４ｂ…導入部挿通口、３５…吐出部挿通口、３５ａ，３５ｂ…吐出部挿通切り欠き部、３６，３６ａ…ヒンジ、３７ａ，３７ｂ…固定片、３８ａ，３８ｂ…固定孔、３９…揺動片、３９ａ…カバー係止孔、１００，１０１，１０２，１０３，１０４，１０５，１０５ａ，１０６，１０７，１０８，１０９…保護キャップ、１１０，１１１…足部、１２０…接着面、１２１ａ…粘着シール、１２１ｂ…粘着シールの保護材、１２２…磁石、１３０，１３１…垂れ落ち防止部、１３２…溜め部、１３３…受け部、１４０…収納部、１４１，１４２…係止部、２００…ノズル洗浄器、３００…塗布具
【図１】
2017137085.tif 000003
【図２ａ】
2017137085.tif 000004
【図２ｂ】
2017137085.tif 000005
【図２ｃ】
2017137085.tif 000006
【図３】
2017137085.tif 000007
【図４】
2017137085.tif 000008
【図５】
2017137085.tif 000009
【図６】
2017137085.tif 000010
【図７】
2017137085.tif 000011
【図８】
2017137085.tif 000012
【図９】
2017137085.tif 000013